(57)【要約】  【課題】  薬の飲み忘れ、誤飲を防止し、薬を用法、用量に従って適切に服用する。  【解決手段】  この容器１は本体フレーム１０と薬陳列用の第１、第２のトレー１１、１２とを備える。本体フレーム１０は物の収納スペース１０１、１０４と上下２段のトレー支持部１０６、１０７とを有し、第１、第２のトレー１１、１２が各トレー支持部１０６、１０７に取り外し可能に支持され、薬を載せる面が外部に露出される。第１、第２のトレー１１、１２の薬を載せる面は合せて８区分に区分され、これら８区分が仕切り部材１１３（又は組みトレー）により同じ又は異なる大きさの複数の区画に区画される。【選択図】  図１
0003109954.tif 000002
【実用新案登録請求の範囲】
【請求項１】
物の収納スペースと上下２段の支持手段とを有する本体フレームと、
前記上下２段の支持手段に取り外し可能に支持され、薬を載せる面を外部に露出する薬陳列用の第１、第２のトレーとを備え、
前記第１、第２のトレーの薬を載せる面を合せて少なくとも７区分に区分され、これら７区分に同じ又は異なる大きさの複数の区画に区画する区画形成手段を有することを特徴とする薬収納容器。
【請求項２】
区画形成手段は、各区分を同じ又は異なる大きさに仕切り区画する仕切り部材、又は各区分に嵌め込み区画する同じ又は異なる大きさの組みトレーにより構成される請求項１に記載の薬収納容器。
【考案の詳細な説明】
【技術分野】
【０００１】
本考案は、薬の服用を適切に行うための薬収納容器に関する。
【背景技術】
【０００２】
一般に、薬はその用法、用量に従って服用されることが重要である。特に医師の処方薬はその種類、数量が少なくなく、薬の飲み忘れや、薬の種類や数量を誤って飲んでしまうことがないように、薬の１回分の種類及び数量を日又は曜日ごとに、さらに朝、昼、晩などの時間帯別に分けておくことが好ましい。この薬の仕分けを効率良く行うために、従来から、薬収納容器が提案されており、その一例が特許文献１に記載されている。
【０００３】
同文献１の薬収納容器は、容器本体と、この容器本体の内部に設けられて容器本体内部を少なくとも２つの収納部に区画する仕切部材とからなり、容器本体が上部を開口部とする有底略直方体形状に形成され、仕切部材が、容器本体の内部に立設された状態で収納部を形成する仕切部、及びこの仕切部に連設された、収納部の底面を被覆するための中敷部とを有する。なお、収納部の数は、薬の使用曜日毎に仕分けする場合は７つ設ければよく、時間帯毎に仕分けする場合、例えば朝食後、昼食後、夕食後別に分ける場合は３つ設ければよい。このようにして、各収納部に１回分の薬の種類、数量を収納しておくことにより、薬をその用法、用量に従って適切に服用することができる。
【特許文献１】特開２００２−１１４２２７号公報
【考案の開示】
【考案が解決しようとする課題】
【０００４】
しかしながら、上記従来の薬収納容器では、既述のとおり、容器本体が上部を開口部とする有底略直方体形状に形成されているため、薬の収納部が深く、収納部の底部に収納された薬が外部から見えにくい。このような生活動線から薬に目が届きにくい状況では、薬の服用の意識が薄れ、薬の飲み忘れを確実に防止することは難しい。また、収納部が深いと、薬の取り出しも容易でない。
【０００５】
本考案は、このような従来の課題を解決するもので、生活動線から薬に目が届きやすく、薬の取り出しも容易で、薬をその用法、容量に従って、適切に服用することのできる薬収納容器を提供することを目的とする。
【課題を解決するための手段】
【０００６】
上記目的を達成するために、本考案の薬収納容器は、物の収納スペースと上下２段の支持手段とを有する本体フレームと、前記上下２段の支持手段に取り外し可能に支持され、薬を載せる面を外部に露出する薬陳列用の第１、第２のトレーとを備え、前記第１、第２のトレーの薬を載せる面を合せて少なくとも７区分に区分され、これら７区分に同じ又は異なる大きさの複数の区画に区画する区画形成手段を有するものである。この場合、区画形成手段は、各区分を同じ又は異なる大きさに仕切り区画する仕切り部材、又は各区分に嵌め込み区画する同じ又は異なる大きさの組みトレーにより構成されることが好ましい。
【考案の効果】
【０００７】
本考案の薬収納容器は、上記構成を有し、生活動線から薬に目が届きやすくなり、薬の取り出しも容易で、薬をその用法、用量に従って、適切に服用することができる。
【考案を実施するための最良の形態】
【０００８】
以下、本考案の実施の形態について図１乃至図３を用いて説明する。図１及び図２に本考案の第１の実施の形態を例示している。図１において、薬収納容器１は、本体フレーム１０と、薬陳列用の第１、第２のトレー１１、１２とを備える。なお、この容器１は硬質の紙材、プラスチック材、木材、金属材などにより、又はこれらの材料を組み合わせて形成される。
【０００９】
図２に示すように、本体フレーム１０は、上面及び正面を開放された略ボックス形に形成されている。この本体フレーム１０の底面部及び背面部上部には、物の収納スペース１０１、１０４が画設されている。底面部の収納スペース１０１は、奥側が固定式の（上面開放形の）収納ボックス１０２で、その前側が上下２段、横４列の引き出し式の収納ボックス１０３になっている。背面部の収納スペース１０４はラック１０５になっており、６つの収納部を有している。特に左右両端の収納部は底部を下げて他の収納部よりも深く形成されている。
【００１０】
本体フレーム１０の左右両側面は前側の高さが底面部の引き出し式の収納ボックス１０３の部分と略同じ高さ又はそれよりも少し高く、後側の高さが背面部及びラック１０５よりも少し低い高さの段差形状になっている。この段差形状が第１、第２のトレー１１、１２を支持する上下２段の支持手段をなし、両側面の後側は第１のトレー支持部１０６で、前側が第２のトレー支持部１０７になる。なお、これらの側面の両方又は一方に開口状の切欠部が設けられ、この切欠部の間にハンガーとして使用する棒材１０８が水平方向に向けて架け渡されている。
【００１１】
図１に示すように、第１、第２のトレー１１、１２は、平面形状が横長の長方形で、本体フレーム１０の第１のトレー支持部１０６間、又は第２のトレー支持部１０７間の空間を覆い、かつ各トレー支持部１０６、１０７よりも外側方に僅かに突出する大きさに形成されている。各トレー１１、１２の薬を載せる上面（表面）は薬の取り出しを容易にするため波形又は凹凸上に形成され、これらの上面が薬を仕分けするために各トレー１１、１２を合せて、少なくとも７区分に区分される。この場合、各トレー１１、１２には、上面の外周縁部に沿って枠状に立ち上がり部１１１が形成され、さらに両側縁部（長手方向）の各立ち上がり部１１１間に上面を横方向（長手方向）に向けて４等分するように３本の直線状の立ち上がり部１１２が形成されて、第１のトレー１１の上面が４区分Ｐ１、Ｐ２、Ｐ３、Ｐ４に区分され、第２のトレー１２の上面が４区分Ｐ５、Ｐ６、Ｐ７、Ｐ８に区分され、各トレー１１、１２を合せて８区分になっている。なお、各立ち上がり部１１１、１１２は薬がトレー１１、１２外部に滑り落ちない程度の高さがあれば十分で、各立ち上がり部１１１、１１２間の各区分Ｐ１〜Ｐ８は従来の薬収納容器の深さに比べて浅く形成される。
【００１２】
これらのトレー１１、１２には、上面の各区分Ｐ１〜Ｐ８を同じ又は異なる大きさの複数の区画に区画する区画形成手段が具備されている。ここで区画形成手段に複数の仕切り部材１１３を備える。この場合、仕切り部材１１３は、各区分Ｐ１〜Ｐ８の立ち上がり部１１１、１１２と同じ高さで、各区分Ｐ１〜Ｐ８の縦方向の立ち上がり部１１２間に配置可能な長さを有する薄い板状に形成される。これらの仕切り部材１１３は縦方向の各立ち上がり部１１１、１１２間、１１２、１１２間に突っ張らせた状態に取り付けられてもよく、また、縦方向の各立ち上がり部１１１、１１２に所定の間隔で複数の係止溝などの係止手段が設けられて、これらの係止手段に係合させて取り付けられてもよく、さらに、各区分Ｐ１〜Ｐ８の縦方向の各立ち上がり部１１１、１１２に沿ってレール部材が設置されて、このレール部材上にスライド可能に取り付けられてもよく、その取り付けの形式は任意である。また、各トレー１１、１２の左右両側には下方に向けてストッパー１１４が突出され、本体フレーム１０の各トレー支持部１０６、１０７の外側面に係合可能になっている。なお、このストッパー１１４に代えて、トレー又は本体フレームのいずれか一方にロックピンが垂直方向に突出され、他方にロックピンが係合可能なロック溝（又はロック穴）が設けられ、これらロックピンとロック溝（穴）とを係合させるロック形式に代えてもよい。このようにして、第１、第２のトレー１１、１２は本体フレーム１０の上下２段の各トレー支持部１０６、１０７に載せられて、各トレー支持部１０６、１０７に取り外し可能に支持され、各トレー１１、１２の前後の上下２段の配置により、各トレー１１、１２の薬を載せる（浅い）面は外部に露出される。また、これらのトレー１１、１２はストッパー１１４と本体フレーム１０の各トレー支持部１０６、１０７の外側面との係合により、横方向の移動を規制される。
【００１３】
次に、この薬収納容器１の使用形態及び使用方法並びにその効果について説明する。図１に示すように、この薬収納容器１の場合、第１、第２のトレー１１、１２の上面（表面）が８区分Ｐ１〜Ｐ８に区分されており、これらの区分Ｐ１〜Ｐ８上に少なくとも１週間分の薬を１日分に分けて収納することができる。この場合、第１、第２のトレー１１、１２を本体フレーム１０から取り外し、各トレー１１、１２の各区分Ｐ１〜Ｐ７を、薬の用法、用量に従って、単一の区画又は複数の区画に区画する。薬を１日１回だけ服用する場合は、各区分Ｐ１〜Ｐ７をそのまま使用し、区分Ｐ１〜Ｐ７毎に１日分の用量の薬を収納すればよい。薬を１日２回、例えば朝、晩に分けて服用する場合は、各区分Ｐ１〜Ｐ７を仕切り部材１１３により２区画に区画し、各区分Ｐ１〜Ｐ７の区画毎に１日の各１回分の用量の薬を収納すればよい。このとき、朝又は晩のいずれかが他のいずれかよりも薬の種類、数量が多い場合は、各区分Ｐ１〜Ｐ７を仕切り部材１１３により大きさの異なる２区画に区画し、大きい区画の方に多くの薬を収納すればよい。薬を１日３回、例えば朝、昼、晩に分けて服用する場合、各区分Ｐ１〜Ｐ７を仕切り部材１１３により３区画に区画し、各区分Ｐ１〜Ｐ７の区画毎に１日の各１回分の用量の薬を収納すればよい。このとき、朝、昼又は晩のいずれかが他のいずれかよりも薬の種類、数量が多い場合は、各区分Ｐ１〜Ｐ７を仕切り部材１１３により大きさの異なる３区画に区画し、大きい区画に多くの薬を収納すればよい。薬を１日４回、例えば朝、昼、晩、さらに就寝時に分けて服用する場合も同様である。なお、区分Ｐ８は必要に応じて利用すればよく、この区分Ｐ８にその他の薬、薬の処方箋、薬の説明書、診察券あるいは小物類などを収納することができる。この場合，区分Ｐ８を仕切り部材１１３により複数の区画に区画してもよい。このようにして、第１、第２のトレー１１、１２を本体フレーム１０の各トレー支持部１０６、１０７に載せればよい。
【００１４】
なお、本体フレーム１０の各収納スペース１０１、１０４を任意に利用することができる。図２に示すように、例えば、背面部側のラック１０５の各収納部には、液状の薬などビンに詰められた薬を入れることができる。目薬などを収納してもよい。底面部の引き出し式の収納ボックス１０３に、薬のストックや薬の説明書を保管することができ、また日用品、特に小物類を収納することができる。固定式の収納ボックス１０２には、少し大きめのビンやプラスチック容器などを入れておくことができ、また長めの日用品を差し込んでおくこともできる。なお、側面のハンガー１０８を物の吊り下げに利用することができる。
【００１５】
このようにして、この薬収納容器１を屋内の生活動線の傍らに置いておくと、第１、第２のトレー１１、１２の各区分Ｐ１〜Ｐ７（必要に応じて区分Ｐ８）の、各区画上に各日、各回の薬が陳列され、生活動線から薬に目が届きやすくなり、薬の服用を忘れることがない。薬を服用する場合は、薬を服用する初日から、第１のトレー１１の片端の区分Ｐ１の１区画から順次服用すれば、薬の用法、用量に従って適切に服用することができる。しかも、薬は浅いトレー１１、１２に載せられているので、薬の取り出しも容易に行うことができる。
【００１６】
なお、この薬収納容器１は、手入れを容易に行うことができる。各トレー１１、１２は本体フレーム１０から持ち上げるだけで、簡単に取り外せるので、塵埃など汚れが付着しても、各トレー１１、１２を取り外して汚れを払えばよく、また、必要に応じて雑巾で払拭すればよい。また、本体フレーム１０から引き出し式の収納ボックス１０３を引き出し、これを逆さまに反転すれば、塵埃を容易に除去することができ、必要に応じて雑巾で払拭してもよい。さらに、本体フレーム１０から引き出し式の収納ボックス１０３を取り外せば、背面部のラック１０５や底面部の固定式の収納ボックス１０２は上向きの開口になっているので、本体フレーム１０ごと逆さまに反転すれば、本体フレーム１０からも塵埃などを簡単に除去することができ、必要に応じて雑巾で払拭すればよい。
【００１７】
図３に本考案の第２の実施の形態を例示している。図３において、この薬収納容器２は、第１の実施の形態に比べて小型に構成され、同様に、本体フレーム２０と、薬陳列用の第１、第２のトレー２１、２２とを備える。なお、この容器２も同様に、硬質の紙材、プラスチック材、木材、金属材などにより、又はこれらの材料を組み合わせて形成される。
【００１８】
本体フレーム２０は、上面及び正面を開放された略ボックス形に構成されている。この本体フレーム２０の底面部及び背面部上部には物の収納スペース２０１、２０４が画設されている。底面部の収納スペース２０１は、奥側が固定式の（上面開放形の）収納ボックスで、その前側が上下２段、横４列の引き出し式の収納ボックス２０３になっている。背面部の収納スペース２０４はラック２０５になっており、４つの収納部を有している。特に左右両端の収納部は底部を下げて他の収納部よりも深く形成されている。
【００１９】
この薬収納容器２の場合、本体フレーム２０の左右両側面は背面部のラック２０５の高さよりも少し低くなっていて、これら側面の上部が第１のトレー支持部２０６になり、またこの両側面の内側で、底面部の引き出し式の収納ボックス２０３の部分と略同じ高さ又はそれよりも少し高い位置に水平方向に向けて第２のトレー支持部２０７としてトレー支持部材が形成され、このようにして第１、第２のトレー２１、２２を支持する上下２段の支持手段が設けられている。なお、これらの側面の両方又は一方に開口状の切欠部が設けられ、この切欠部の間にハンガーとして使用する棒材が水平方向に向けて架け渡される。
【００２０】
第１のトレー２１は平面形状が横長の長方形で、本体フレーム２０の第１のトレー支持部２０６間の空間を覆い、かつ各トレー支持部２０６よりも外側方に僅かに突出する大きさに形成されている。このトレー２１には左右両側に下方に向けてストッパー２１４が突出され、本体フレーム２０の第１のトレー支持部２０６の外側面に係合可能になっている。なお、このストッパー２１４は、既述のとおり、ロックピンとロック溝（穴）との係合によるロック形式に代えてもよい。一方、第２のトレー２２は平面形状が横長の長方形で、第１のトレー２１よりも少し小さく、本体フレーム２０の両側面（この場合内側面）間と略同じ又はこれよりも僅かに短い長さで、両側面（内側面）間の空間を覆う大きさに形成されている。第１の実施の形態と同様に、第１、第２のトレー２１、２２の薬を載せる上面（表面）は、各トレー２１、２２を合せて少なくとも７区分に区分される。この場合、各トレー１１、１２は上面の外周縁部に沿って枠状に立ち上がり部２１１、２２１が形成され、両側縁部（長手方向）の各立ち上がり部２１１間、２２１間に上面を横方向（長手方向）に向けて４等分するように３本の直線状の立ち上がり部２１２、２２２が形成されて、各トレー１１、１２の上面が４区分Ｐ１〜Ｐ４、Ｐ５〜Ｐ８に区分され、各トレー１１、１２を合せて８区分Ｐ１〜Ｐ８になっている。各立ち上がり部２１１、２１２、２２１、２２２は薬がトレー外部に滑り落ちない程度の高さがあれば十分で、各立ち上がり部２１１、２１２、２２１、２２２間の各区分Ｐ１〜Ｐ８は従来の薬収納容器の深さに比べて浅く形成される。なお、第１のトレー２１には、左右方向の片側一方に、４区分とは別に、さらに複数の小区画２１０が設けられている。
【００２１】
これらのトレー１１、１２には、上面の各区分Ｐ１〜Ｐ８を同じ又は異なる大きさの複数の区画に区画する、第１の実施の形態とは異なる区画形成手段が具備されている。ここで区画形成手段は複数の組みトレー２１３により構成される。この場合、これらの組みトレー２１３は、各区分Ｐ１〜Ｐ８に１つだけ嵌め込まれる単一の組みトレー２１３と、各区分Ｐ１〜Ｐ８に複数の組みトレー２１３を組み合わせて嵌め込まれる組み物の組みトレー２１３とを有する。単一の組みトレー２１３は、各トレー２１、２２の各区分Ｐ１〜Ｐ８内に嵌め込み可能な平面積を有する矩形状に形成され、その外周に立ち上がり部が設けられている。この場合、４辺の立ち上がり部はすべて各区分Ｐ１〜Ｐ８の立ち上がり部２１１、２１２、２２１、２２２と同じ高さにしてもよく、一部の立ち上がり部を把持部として、各区分Ｐ１〜Ｐ８の立ち上がり部２１１、２１２、２２１、２２２よりも上方に突出させてもよい。組み物の組みトレー２１３は２個組み、３個組み、４個組みなどがあり、各種組みの各組みトレー２１３は各種組みごとに各区分Ｐ１〜Ｐ８内に嵌め込み可能に、異なる平面積の矩形状に形成され、その外周に、各種組みに拘わらず、同じ高さの立ち上がり部が設けられている。この場合、単一の組みトレー２１３と同様に、４辺の立ち上がり部をすべて各区分Ｐ１〜Ｐ８の立ち上がり部２１１、２１２、２２１、２２２と同じ高さにしてもよく、一部の立ち上がり部を把持部として、各区分Ｐ１〜Ｐ８の立ち上がり部２１１、２１２、２２１、２２２よりも上方に突出させてもよい。また、同じ組みの各組みトレー２１３同士では、同じ平面積を設定してもよく、異なる平面積を設定してもよい。この場合、各組みトレー２１３に同じ平面積を設定した場合は、各トレー２１、２２の各区分Ｐ１〜Ｐ８が同じ大きさの区画に区画され、異なる平面積を設定した場合は、各トレー２１、２２の各区分Ｐ１〜Ｐ８が異なる大きさの区画に区画されることになる。なお、各組みトレー２１３共、薬を載せる上面が薬の取り出しを容易にするために、波形又は凹凸状に形成されることが好ましい。このようにして、第１、第２のトレー２１、２２は本体フレーム２０の上下２段の各トレー支持部２０６、２０７に載せられて、各トレー支持部２０６、２０７に取り外し可能に支持され、また、各トレー２１、２２間に所定の間隔が設けられて、各トレー２１、２２の薬を載せる（浅い）面は外部に露出される。
【００２２】
次に、この薬収納容器２の使用形態及び使用方法並びにその効果について説明する。図３に示すように、この薬収納容器２の場合、第１、第２のトレー２１、２２の上面（表面）が８区分Ｐ１〜Ｐ８に区分されており、これらの区分Ｐ１〜Ｐ８上に少なくとも１週間分の薬を１日分に分けて収納することができる。この場合、第１、第２のトレー２１、２２を本体フレーム２０から取り外し、各トレー２１、２２の各区分Ｐ１〜Ｐ７を、薬の用法、用量に従って、単一の区画又は複数の区画に区画する。薬を１日１回だけ服用する場合は、各区分Ｐ１〜Ｐ７に単一の組みトレー２１３を嵌め込み、単一の組みトレー２１３毎に１日分の用量の薬を収納すればよい。薬を１日２回、例えば朝、晩に分けて服用する場合は、各区分Ｐ１〜Ｐ７に２個組みの組みトレー２１３を嵌め込み、各区分Ｐ１〜Ｐ７を２区画に区画し、各区分Ｐ１〜Ｐ７の組みトレー２１３毎に１日の各１回分の用量の薬を収納すればよい。このとき、朝又は晩のいずれかが他のいずれかよりも薬の種類、数量が多い場合は、各区分Ｐ１〜Ｐ７を大きさの異なる組みトレー２１３により大きさの異なる２区画に区画し、大きい組みトレー２１３の方に多くの薬を収納すればよい。薬を１日３回、例えば朝、昼、晩に分けて服用する場合は、各区分Ｐ１〜Ｐ７に３個組みの組みトレー２１３を嵌め込み、各区分Ｐ１〜Ｐ７を３区画に区画し、各区分Ｐ１〜Ｐ７の組みトレー２１３毎に１日の各１回分の用量の薬を収納すればよい。このとき、朝、昼又は晩のいずれかが他のいずれかよりも薬の種類、数量が多い場合は、各区分Ｐ１〜Ｐ７を大きさの異なる組みトレー２１３により大きさの異なる３区画に区画し、大きい組みトレー２１３の方に多くの薬を収納すればよい。薬を１日４回、例えば朝、昼、晩、さらに就寝時に分けて服用する場合も、４個組みの組みトレー２１３により同様に行えばよい。なお、区分Ｐ８は必要に応じて利用すればよく、この区分Ｐ８にその他の薬、薬の処方箋、薬の説明書、診察券あるいは小物類などを収納することができる。この場合、区分Ｐ８を組みトレー２１３により複数の区画に区画してもよい。このようにして、第１、第２のトレー２１、２２を本体フレーム２０の各トレー支持部２０６、２０７に載せればよい。
【００２３】
なお、本体フレーム２０の各収納スペース２０１、２０４を任意に利用することができることは、第１の実施の形態で説明したとおりである。
【００２４】
このようにしても、この薬収納容器２を屋内の生活動線の傍らに置くだけで、第１、第２のトレー２１、２２の各区分Ｐ１〜Ｐ７（必要に応じて区分Ｐ８）の、各組みトレー２１３上に各日、各回の薬が陳列されて、生活動線から薬に目が届きやすくなり、薬の服用を忘れることがない。薬を服用する場合は、薬を服用する初日から、第１のトレー２１の片端の区分Ｐ１の１区画から順次服用すれば、薬の用法、用量に従って適切に服用することができる。しかも、薬は浅い組みトレー２１３に載せられており、また各組みトレー２１３ごと各トレー２１、２２から取り外せるので、組みトレー２１３から薬の取り出しを容易に行うことができる。なお、この薬収納容器２の場合も、第１の実施の形態と同様にして、手入れを容易に行うことができる。
【００２５】
なお、第１の実施の形態では、第１、第２のトレー１１、１２の各区分Ｐ１〜Ｐ８を仕切り部材１１３を用いて区画しているが、第２の実施の形態と同様に、組みトレー２１３を用いて区画してもよく、また第２の実施の形態では、第１、第２のトレー２１、２２の各区分Ｐ１〜Ｐ８を組みトレー２１３を用いて区画しているが、第１の実施の形態と同様に、仕切り部材１１３を用いて区画してもよく、さらに、各実施の形態共に、各トレーの各区分を仕切り部材と組みトレーを併用して区画してもよい。
【図面の簡単な説明】
【００２６】
【図１】本考案の第１の実施の形態における薬収納容器を示す斜視図
【図２】同薬収納容器の本体フレームから第１、第２のトレーを取り外した状態を示す斜視図
【図３】本考案の第２の実施の形態における薬収納容器を示す斜視図
【符号の説明】
【００２７】
１  薬収納容器
１０  本体フレーム
１０１  物収納スペース
１０２  固定式の収納ボックス
１０３  引き出し式の収納ボックス
１０４  物収納スペース
１０５  ラック
１０６  第１のトレー支持部
１０７  第２のトレー支持部
１０８  棒材（ハンガー）
１１  第１のトレー
１２  第２のトレー
１１１  立ち上がり部
１１２  立ち上がり部
１１３  仕切り部材（区画形成手段）
１１４  ストッパー
Ｐ１〜Ｐ８  区分
２  薬収納容器
２０  本体フレーム
２０１  物収納スペース
２０３  引き出し式の収納ボックス
２０４  物収納スペース
２０５  ラック
２０６  第１のトレー支持部
２０７  第２のトレー支持部
２１  第１のトレー
２１０  小区画
２１１  立ち上がり部
２１２  立ち上がり部
２１３  組みトレー（区画形成手段）
２１４  ストッパー
２２  第２のトレー
２２１  立ち上がり部
２２２  立ち上がり部
Ｐ１〜Ｐ８  区分
【図１】
0003109954.tif 000003
【図２】
0003109954.tif 000004
【図３】
0003109954.tif 000005
【手続補正書】
【提出日】平成17年1月31日(2005.1.31)
【手続補正１】
【補正対象書類名】図面
【補正対象項目名】図３
【補正方法】変更
【補正の内容】
【図３】
0003109954.tif 000006